(57)【要約】  本発明にかかるＩＰアドレス配布システムは、複数のスイッチ装置（５，６）により形成されたネットワークと、スイッチ装置に接続された端末（７〜１０）からの要求に応じてＩＰアドレスを割り当てるＩＰアドレス配布装置（３，４）と、位置情報を含んだ位置情報パケットをネットワーク内にブロードキャストする複数の位置情報配布装置（１，２）と、を備え、スイッチ装置のうち、１台以上のスイッチ装置の特定の物理ポートにおいて位置情報パケットを遮断することにより、機器の各々に対して単一の位置情報パケットのみを配信し、機器は、ＩＰアドレスの割り当てを要求する場合、位置情報および機器固有情報を含んだＩＰアドレス要求信号を送信し、ＩＰアドレス配布装置は、ＩＰアドレス要求信号を受信した場合、位置情報および機器固有情報に応じた範囲からＩＰアドレスを選択して要求元の機器に配布する。
2013105219.tif 000002
【特許請求の範囲】
【請求項１】
複数のスイッチ装置により形成されたネットワークと、
前記スイッチ装置に接続された機器からの要求に応じてＩＰアドレスを割り当てるＩＰアドレス配布装置と、
位置情報を含んだ位置情報パケットを前記ネットワーク内にブロードキャストする複数の位置情報配布装置と、
を備え、
前記スイッチ装置のうち、１台以上のスイッチ装置の特定の物理ポートにおいて前記位置情報パケットを遮断することにより、前記機器の各々に対して単一の位置情報パケットのみを配信し、
前記機器は、ＩＰアドレスの割り当てを要求する場合、前記位置情報および機器固有情報を含んだＩＰアドレス要求信号を送信し、
前記ＩＰアドレス配布装置は、前記ＩＰアドレス要求信号を受信した場合、当該ＩＰアドレス要求信号に含まれている位置情報および機器固有情報に応じた範囲からＩＰアドレスを選択して要求元の機器に配布する、
ことを特徴とするＩＰアドレス配布システム。
【請求項２】
前記機器は、前記機器固有情報として、自身の機器種別を示す情報をＩＰアドレス要求信号に含ませることを特徴とする請求項１に記載のＩＰアドレス配布システム。
【請求項３】
前記位置情報配布装置は、前記スイッチ装置の物理ポートのうち、位置情報パケットの配布対象機器を接続する物理ポートが位置情報パケットを通過させるか否かを個別に設定した上で物理ポート番号の情報を含んだ位置情報パケットをブロードキャストすることにより、位置情報パケットの配信先の機器に当該機器が接続している物理ポートの識別番号を通知し、
前記機器は、前記機器固有情報として、自身が接続している物理ポートの識別番号をＩＰアドレス要求信号に含ませることを特徴とする請求項１に記載のＩＰアドレス配布システム。
【請求項４】
前記ネットワークを列車内に構築されたネットワークとすることを特徴とする請求項１に記載のＩＰアドレス配布システム。
【請求項５】
前記位置情報配布装置が各車両に設置されており、
前記スイッチ装置のうち、他の車両に設置されているスイッチ装置と接続されているスイッチ装置は、他の車両に設置されているスイッチ装置が接続されている物理ポートにおいて位置情報パケットを遮断することを特徴とする請求項４に記載のＩＰアドレス配布システム。
【請求項６】
複数のスイッチ装置により形成されたネットワークと、前記スイッチ装置に接続された機器からの要求に応じてＩＰアドレスを割り当てるＩＰアドレス配布装置と、位置情報を含んだ位置情報パケットを前記ネットワーク内にブロードキャストする複数の位置情報配布装置と、を備えたシステムにおけるＩＰアドレス配信方法であって、
前記スイッチ装置のうち、１台以上のスイッチ装置の特定の物理ポートにおいて前記位置情報パケットを遮断することにより、前記機器の各々に対して単一の位置情報パケットのみを配信する位置情報配信ステップと、
前記機器が、前記位置情報および機器固有情報を含んだＩＰアドレス要求信号を送信するＩＰアドレス要求ステップと、
前記ＩＰアドレス配布装置が、前記ＩＰアドレス要求信号を受信した場合に、当該ＩＰアドレス要求信号に含まれている位置情報および機器固有情報に応じた範囲からＩＰアドレスを選択して要求元の機器に配布するＩＰアドレス配布ステップと、
を含むことを特徴とするＩＰアドレス配布方法。
【請求項７】
前記機器は、前記機器固有情報として、自身の機器種別を示す情報をＩＰアドレス要求信号に含ませることを特徴とする請求項６に記載のＩＰアドレス配布方法。
【請求項８】
前記位置情報配布装置が、前記スイッチ装置の物理ポートのうち、位置情報パケットの配布対象機器を接続する物理ポートが位置情報パケットを通過させるか否かを個別に設定した上で物理ポート番号の情報を含んだ位置情報パケットをブロードキャストすることにより、位置情報パケットの配信先の機器に当該機器が接続している物理ポートの識別番号を通知する物理ポート情報通知ステップ、
をさらに含み、
前記機器は、前記機器固有情報として、自身が接続している物理ポートの識別番号をＩＰアドレス要求信号に含ませることを特徴とする請求項６に記載のＩＰアドレス配布方法。
【発明の詳細な説明】
【技術分野】
【０００１】
本発明は、ＩＰアドレス配布システムおよびＩＰアドレス配布方法に関するものである。
【背景技術】
【０００２】
装置間の通信プロトコルとして使用されることの多いＴＣＰ／ＩＰでは、装置を識別する情報としてＩＰアドレスを使用する。ＴＣＰ／ＩＰを使用する場合、ネットワーク上の各装置には一意に定まったＩＰアドレスを割り振る必要がある。【０００３】
ネットワーク上の各装置のＩＰアドレスを決定する方法としては、各装置に重複がないようにＩＰアドレスを付与し、装置内の記録装置にＩＰアドレスを記録しておき、装置は起動時に記録されたＩＰアドレスを使用するという方法がある。【０００４】
また、ネットワーク上の各装置のＩＰアドレスを決定する方法として、逆アドレス解決プロトコル（ＲＡＲＰ：Reverse  Address  Resolution  Protocol）がある。このＲＡＲＰを適用した場合、各装置は起動時に、ＲＡＲＰメッセージをネットワークにブロードキャスト送信する。ネットワーク上にあるＲＡＲＰサーバは、ＲＡＲＰメッセージに対応して、ネットワーク経由で送信元装置にＩＰアドレスを配布する。【０００５】
また、ＲＡＲＰに代わるＩＰアドレス配布方法として、ＢＯＯＴＰ（Bootstrap  Protocol）やＤＨＣＰ（Dynamic  Host  Configuration  Protocol）がある。いずれの仕組みも、ＩＰアドレスを管理しているサーバが、装置からの要求に応じてＩＰアドレスを配布することで、ＩＰアドレスを決定している（例えば、非特許文献１参照）。
【先行技術文献】
【非特許文献】
【０００６】
【非特許文献１】ＴＣＰ／ＩＰによるネットワーク構築  Ｖｏｌ．１  第４版  Ｄｏｕｇｌａｓ  Ｅ．Ｃｏｍｅｒ編（共立出版）
【発明の概要】
【発明が解決しようとする課題】
【０００７】
上述したような各種ＩＰアドレス配布方法において、ＩＰアドレスの配布要求を受けたサーバは、要求元の機器に対してＩＰアドレスを割り当てる。しかしながら、ネットワークの物理的な構成を考慮してＩＰアドレスを割り当てることはしないので、以下に示すような課題が存在する。【０００８】
例えば、機器構成が予め設計されたネットワークでＴＣＰ／ＩＰを使用する場合を考える。このネットワークにおいては、各ネットワーク機器の配置は決まっているので、ネットワーク運用上、装置の故障により装置交換が必要となった場合、交換後の該当装置のＩＰアドレスは、機器の配置に応じて、故障した装置に付与されていたものと同じ（または関連する）ＩＰアドレスを付与することが望ましい。機器の配置に応じてＩＰアドレスが付与されている場合、通信異常が発生した場合に該当機器の特定が容易になるなど、機器を管理する上での利便性が高まる。交換後の装置に対して交換前の装置に付与されていたものと同じまたは関連するＩＰアドレスを付与するには、装置設置時に所望のＩＰアドレスを作業者が書き込むことにより対応できるが、装置交換後に設置位置に応じたＩＰアドレスが自動的に付与されると、運用上の簡便性が向上する。また、人による手作業で設定を行う場合、作業ミスが発生するおそれがあるが、自動化することにより作業ミスも防止できる。従って、装置が設置された場合に、機器の配置に対応したＩＰアドレスが自動で配布されることが望ましい。【０００９】
本発明は、上記に鑑みてなされたものであって、装置交換などによりＩＰアドレスが付与されていない装置が新たに設置された場合に、新たに設置された装置に対して設置位置に応じたＩＰアドレスを付与することが可能なＩＰアドレス配布システムおよびＩＰアドレス配布方法を得ることを目的とする。
【課題を解決するための手段】
【００１０】
上述した課題を解決し、目的を達成するために、本発明にかかるＩＰアドレス配布システムは、複数のスイッチ装置により形成されたネットワークと、前記スイッチ装置に接続された機器からの要求に応じてＩＰアドレスを割り当てるＩＰアドレス配布装置と、位置情報を含んだ位置情報パケットを前記ネットワーク内にブロードキャストする複数の位置情報配布装置と、を備え、前記スイッチ装置のうち、１台以上のスイッチ装置の特定の物理ポートにおいて前記位置情報パケットを遮断することにより、前記機器の各々に対して単一の位置情報パケットのみを配信し、前記機器は、ＩＰアドレスの割り当てを要求する場合、前記位置情報および機器固有情報を含んだＩＰアドレス要求信号を送信し、前記ＩＰアドレス配布装置は、前記ＩＰアドレス要求信号を受信した場合、当該ＩＰアドレス要求信号に含まれている位置情報および機器固有情報に応じた範囲からＩＰアドレスを選択して要求元の機器に配布する、ことを特徴とする。
【発明の効果】
【００１１】
この発明によれば、位置情報配布装置はＩＰアドレスの割り当てを受ける端末に対して位置情報を配信し、端末は、ＩＰアドレスの配布を要求する際、位置情報と自身の装置種別情報を含んだＩＰアドレス要求信号を送信し、ＩＰアドレス配布装置は、要求元の端末の種別と位置情報に応じたＩＰアドレスを割り当てるので、ネットワークの物理配線上における機器の位置に対応させてＩＰアドレスを配布できる、という効果を奏する。
【図面の簡単な説明】
【００１２】
【図１】図１は、実施の形態１のＩＰアドレス配布システムの構成例を示す図である。
【図２】図２は、位置情報パケットの構成例を示す図である。
【図３】図３は、ＩＰアドレス要求信号の構成例を示す図である。
【図４】図４は、ＩＰアドレス配布表の構成例を示す図である。
【図５】図５は、実施の形態１のＩＰアドレス配布システムにおいて端末のＩＰアドレスを決定する手順の一例を示すシーケンス図である。
【図６】図６は、実施の形態２のＩＰアドレス配布システムの構成例を示す図である。
【図７】図７は、実施の形態３のＩＰアドレス配布システムの構成例を示す図である。
【図８】図８は、実施の形態３の位置情報パケットの構成例を示す図である。
【図９】図９は、実施の形態３のＩＰアドレス要求信号の構成例を示す図である。
【図１０】図１０は、実施の形態４のＩＰアドレス配布システムの構成例を示す図である。
【発明を実施するための形態】
【００１３】
以下に、本発明にかかるＩＰアドレス配布システムおよびＩＰアドレス配布方法の実施の形態を図面に基づいて詳細に説明する。なお、この実施の形態によりこの発明が限定されるものではない。
【００１４】
実施の形態１．
図１は、実施の形態１のＩＰアドレス配布システムの構成例を示す図である。本実施の形態のＩＰアドレス配布システムは、位置情報配布装置１および２と、ＩＰアドレス配布装置３および４と、イーサネット（登録商標）スイッチであるスイッチ装置５および６とを含んで構成されている。位置情報配布装置１およびＩＰアドレス配布装置３はスイッチ装置５に接続され、位置情報配布装置２およびＩＰアドレス配布装置４はスイッチ装置６に接続されている。スイッチ装置５とスイッチ装置６は、スイッチ装置５の物理ポート１１とスイッチ装置６の物理ポート１２で接続されている。
【００１５】
また、端末７および８がスイッチ装置５の物理ポートに接続されており、端末９および１０がスイッチ装置６の物理ポートに接続されている。なお、端末７〜１０はＩＰアドレス配布装置３または４に対してＩＰアドレスを割り当てるように要求し、ＩＰアドレスの割り当てを受けるネットワーク機器である。位置情報配布装置１および２は、スイッチ装置５または６に接続されている端末に対して、ネットワーク内のどこに存在しているか（物理的な設置位置）を示す位置情報を配布する。ＩＰアドレス配布装置３および４は、ＩＰアドレス配布表（詳細は後述する）を保持しており、端末からＩＰアドレスの配布要求を受けた場合には、ＩＰアドレス配布表に従ってＩＰアドレスを割り当てる。
【００１６】
図２は、実施の形態１のＩＰアドレス配布システムにおいて、位置情報配布装置１，２が端末に位置情報を通知する際に送信する位置情報パケットの構成例を示す図である。図示したように、位置情報パケットは、送信先アドレス、送信元アドレスおよび位置情報値をそれぞれ格納するためのエリアを有する。
【００１７】
位置情報配布装置１および２は、図２に示した位置情報パケットを所定のタイミングで送信する（例えば周期的に送信する）。このとき、位置情報配布装置１および２は、送信先アドレスとして位置情報配布用のマルチキャストアドレスを設定し、送信元アドレスとして自装置のＩＰアドレスを設定し、位置情報値として、位置情報パケットを受信した端末のネットワーク内の位置を示す値を設定する。なお、位置情報配布装置１および２は、他の位置情報配布装置が位置情報パケットに設定する値と重複しないように、各位置情報配布装置に固有の値を位置情報値に設定する。
【００１８】
スイッチ装置５および６の動作（物理ポートの設定）について説明する。スイッチ装置５の物理ポート１１は、位置情報配布用のマルチキャストアドレスが送信先アドレスに設定されているパケットを遮断する。その他の物理ポートでは、送信先アドレスが位置情報配布用のマルチキャストアドレスのパケットを遮断しない。また、スイッチ装置６の物理ポート１２は、位置情報配布用のマルチキャストアドレスが送信先アドレスに設定されているパケットを遮断する。その他の物理ポートでは、送信先アドレスが位置情報配布用のマルチキャストアドレスのパケットを遮断しない。すなわち、スイッチ装置５および６では、他のスイッチ装置と接続されている物理ポートにおいて位置情報配布用のマルチキャストアドレスが送信先アドレスに設定されているパケットを遮断する。
【００１９】
これにより、位置情報配布装置１から送信された位置情報パケットは端末７および８にのみ到達し、位置情報配布装置２から送信された位置情報パケットは端末９および１０にのみ到達する。
【００２０】
図３は、実施の形態１のＩＰアドレス配布システムにおいて、端末７〜１０がＩＰアドレスの配布を要求する際にＩＰアドレス配布装置３または４へ送信するＩＰアドレス要求信号の構成例を示す図である。図示したように、ＩＰアドレス要求信号は、送信先アドレス、送信元アドレス、位置情報値および機器固有情報をそれぞれ格納するためのエリアを有する。送信先アドレスおよび送信元アドレスには、ブロードキャストアドレスおよび仮ＩＰアドレスがそれぞれ設定される。位置情報値には、送信元の機器が位置情報配布装置から受信した位置情報パケットに含まれていた位置情報値（図２参照）が設定される。機器固有情報には、送信元の機器の種別を示す情報（機器種別情報）が設定される。例えば、端末７〜１０が列車の車両に設置される機器の場合、案内表示器、空調装置、ブレーキ装置などを示す機器種別情報が機器固有情報に設定される。なお、各端末は、機器種別情報を予め保持しているものとする。
【００２１】
ここで、ＩＰアドレス配布装置が保持しているＩＰアドレス配布表について説明する。ＩＰアドレス配布表は、位置情報値と機器固有情報（本実施の形態では機器種別情報となる）の組み合わせに対して配布するＩＰアドレス、または配布するＩＰアドレスの範囲を示す情報であり、例えば、図４に示したような構成の情報となる。ＩＰアドレス配布装置は、ＩＰアドレス要求信号を受信すると、受信した要求信号に設定されている位置情報値と機器固有情報（機器種別情報）を確認し、これらの情報の組み合わせに対応するＩＰアドレスを、要求元の端末に対して割り当てる。図４に示したＩＰアドレス配布表を保持しているＩＰアドレス配布装置が、例えば、位置情報値に「１」が設定され、かつ機器固有情報に「Ａ装置」が設定されたＩＰアドレス要求信号を受信した場合、ＩＰアドレスとして「１９２．１６８．１．１」を割り当てる。また、位置情報値に「２」が設定され、かつ機器固有情報に「その他」が設定されたＩＰアドレス要求信号を受信した場合には、ＩＰアドレスとして「１９２．１６８．２．３〜１９２．１６８．２．２５４」の範囲に含まれるＩＰアドレスのうち、いずれの端末にも割り当てていないものを選択して割り当てる。
【００２２】
次に、本実施の形態のＩＰアドレス配布システムにおいて端末のＩＰアドレスを決定する手順を図５のシーケンス図を用いて説明する。図示したように、位置情報配布装置１および２は、定期的に、位置情報パケットをマルチキャスト送信する。このとき、位置情報パケットは、スイッチ装置の特定の物理ポート（他のスイッチ装置が接続されている物理ポート）で遮断されるので、端末７〜１０は、複数の位置情報配布装置から位置情報パケットを受信することはない。端末７〜１０は位置情報パケットを受信すると、位置情報パケットから位置情報値を取り出す。そして、端末７〜１０は、ＩＰアドレスの割り当てを要求する場合（ＩＰアドレスの割り当てを受けていない場合）、位置情報配布装置１または２から取得した位置情報値と予め保持している機器種別情報とをＩＰアドレス要求信号に設定して送信する。ＩＰアドレス配布装置３および４は、ＩＰアドレス要求信号を受信すると、保持しているＩＰアドレス配布表（図４参照）を使用して要求元の端末に割り当てるＩＰアドレスを決定し、決定したＩＰアドレスの情報を含んだＩＰアドレス配布信号を要求元端末宛に送信する。
【００２３】
なお、ＩＰアドレス配布装置３および４は、同じＩＰアドレス配布表を保持しており、ＩＰアドレス要求信号を受信した場合、同じ手順でＩＰアドレスを割り当てる。すなわち、ＩＰアドレス配布装置３および４は、位置情報値および機器種別情報が同じＩＰアドレス要求信号を受信した場合、同じＩＰアドレスを割り当てる。端末７〜１０は、異なるＩＰアドレス配布装置から同じ内容のＩＰアドレス配布信号が複数回にわたって受信することになるので、先に到達した信号を正常に受信できた場合には、後から到達したものを無視するようにしてもよい。また、複数回受信したＩＰアドレス配布信号が同じＩＰアドレスの情報を含んでいる場合に正しくＩＰアドレス割り当てが行われたと判断し、割り当てられたＩＰアドレスの使用を開始するようにしてもよい。
【００２４】
なお、本実施の形態のＩＰアドレス配布システムにおけるＩＰアドレス配布装置と端末との間のＩＰアドレス配布の仕組みとして、ＩＰアドレス配布装置はＤＨＣＰサーバの動作、端末はＤＨＣＰクライアントの動作とすることも可能である。
【００２５】
このように、本実施の形態のＩＰアドレス配布システムは、位置情報配布装置、ＩＰアドレス配布装置およびスイッチ装置を含んで構成され、位置情報配布装置はＩＰアドレスの割り当てを受ける端末に対して物理的な設置位置を示す位置情報を配信し、端末は、ＩＰアドレスの配布を要求する際、位置情報配布装置から取得した位置情報と自身の装置種別情報を含んだＩＰアドレス要求信号を送信し、ＩＰアドレス配布装置は、要求元の端末の種別と設置位置に応じたＩＰアドレスを割り当てることとした。これにより、ネットワークの物理配線上における機器の位置（設置位置）に対応させてＩＰアドレスを配布することが可能となる。例えば、ＩＰアドレスの配布を受ける機器を故障等により交換した場合でも、故障した機器に付与されていたＩＰアドレスを交換時または交換前に解放しておけば、交換後の機器に交換前の機器と同一のＩＰアドレスを付与することができる。また、故障した機器に付与されていたＩＰアドレスが解放されていない場合であっても、交換後の機器に対して、交換前の機器に付与されていたものに近い値のＩＰアドレスを付与することができる。
【００２６】
なお、故障した機器に付与されているＩＰアドレスを解放する処理として、例えば、ＩＰアドレス付与済みの各機器に対してＩＰアドレス配布装置が所定周期で信号を送信して問い合わせを行い、応答が無い場合には該当機器に付与していたＩＰアドレスを解放するなどしてもよい。
【００２７】
また、ＩＰアドレス配布装置は、ＩＰアドレス要求信号を受信した場合、付加されている配置情報に応じた範囲のうち、配布済みのＩＰアドレスそれぞれを宛先とする信号を送信して機器（ＩＰアドレスを付与済みの機器）の存在を問い合わせ、応答の無い機器があれば、この機器に付与していたＩＰアドレスをＩＰアドレス要求信号の送信元の機器に対して再配布するようにしてもよい。この場合、機器を交換した場合に、交換前の機器に付与していたＩＰアドレスを交換後の機器に確実に付与することができる。
【００２８】
また、スイッチ装置は、各端末に対して１台の位置情報配布装置から送信された位置情報パケットのみが到達するよう、所定の物理ポートで位置情報パケットを遮断するので、端末の実際の設置位置に対応するＩＰアドレスを確実に割り当てることができる。
【００２９】
なお、本実施の形態では、ＩＰアドレス配布装置を２台備えた構成のＩＰアドレス配布システムについて説明したが、ＩＰアドレス配布装置はシステム内に１台あればよい。
【００３０】
また、位置情報配信装置とＩＰアドレス配布装置は別々の装置として説明したが、位置情報配信機能とＩＰアドレス配布機能を同じ装置に組み込んで実施してもよい。
【００３１】
実施の形態２．
図６は、実施の形態２のＩＰアドレス配布システムの構成例を示す図である。本実施の形態のＩＰアドレス配布システムは、位置情報配布装置１および２と、ＩＰアドレス配布装置３および４と、イーサネット（登録商標）スイッチであるスイッチ装置２０〜２２とを含んで構成されている。位置情報配布装置１およびＩＰアドレス配布装置３はスイッチ装置２０に接続され、位置情報配布装置２およびＩＰアドレス配布装置４はスイッチ装置２２に接続されている。スイッチ装置２０とスイッチ装置２１は、スイッチ装置２０の物理ポート２３とスイッチ装置２１の物理ポート２４で接続されている。スイッチ装置２１とスイッチ装置２２は、スイッチ装置２１の物理ポート２５とスイッチ装置２２の物理ポート２６で接続されている。
【００３２】
また、端末７がスイッチ装置２０の物理ポートに接続されており、端末８がスイッチ装置２１の物理ポートに接続されており、端末９がスイッチ装置２２の物理ポートに接続されている。
【００３３】
本実施の形態のＩＰアドレス配布システムと実施の形態１のＩＰアドレス配布システムの違いは、スイッチ装置におけるポート設定にある。位置情報配布装置、ＩＰアドレス配布装置および端末は実施の形態１と同様の動作を行うため、動作説明は省略する。
【００３４】
スイッチ装置２０〜２２の動作（物理ポートの設定）について説明する。スイッチ装置２０の物理ポート２３及びスイッチ装置２１の物理ポート２４は、位置情報配布用のマルチキャストアドレスを通過させる。一方、スイッチ装置２１の物理ポート２５及びスイッチ装置２２の物理ポート２６は、位置情報配布用のマルチキャストアドレスを遮断する。
【００３５】
これにより、端末７および８は、位置情報配布装置１から送信された位置情報パケットのみを受信し、端末９は、位置情報配布装置２から送信された位置情報パケットのみを受信する。
【００３６】
上記のような条件のもとで、実施の形態２においても、実施の形態１と同様のＩＰアドレス決定手順により、各端末のＩＰアドレスを決定することができる。すなわち、位置情報配布装置の台数および設置位置に応じて、スイッチ装置の特定の物理ポートが位置情報パケットを遮断し、ＩＰアドレスの配布を受ける各端末に対して１台の位置情報配布装置のみから位置情報パケットが配信される構成とすることによって、実施の形態１と同様の効果が得られるＩＰアドレス配布システムを実現できる。
【００３７】
実施の形態３．
図７は、実施の形態３のＩＰアドレス配布システムの構成例を示す図である。本実施の形態のＩＰアドレス配布システムは、実施の形態１で説明したＩＰアドレス配布システムと同様の構成である。
【００３８】
本実施の形態のＩＰアドレス配布システムでは、スイッチ装置５および６の各物理ポートが識別番号（Ｐ１，Ｐ２，・・・）を有し、物理ポート毎に位置情報パケットの通過および遮断の設定を可能とする。スイッチ装置の位置情報パケットの通過及び遮断の設定は、位置情報配布装置が行う。すなわち、位置情報配布装置１がスイッチ装置５の各物理ポートの位置情報パケットの配信および遮断の設定を行い、位置情報配布装置２がスイッチ装置６の各物理ポートの位置情報パケットの配信および遮断の設定を行う。なお、実施の形態１，２と同様に、１台の端末に対して２台の位置情報配布装置から位置情報パケットが配信されないように、スイッチ装置の特定の物理ポート（他のスイッチ装置が接続されている物理ポート）で位置情報パケットを遮断する。
【００３９】
本実施の形態の位置情報配布装置１，２は、図８に示した構成の位置情報パケットを送信する。図８は、実施の形態３の位置情報配布装置が配信する位置情報パケットの構成例を示す図である。すなわち、位置情報配布装置１，２は、位置情報パケットに位置情報値と物理ポート番号を設定する。位置情報配布装置１，２は、位置情報パケットの送信前に、スイッチ装置の物理ポートを制御して、位置情報パケット内に設定した物理ポート番号に対応する物理ポートのみから、位置情報パケットが送信されるように設定する。そして、位置情報配布装置１，２は、実施の形態１と同様に定期的に位置情報パケットを送信するが、送信毎に位置情報パケット内の物理ポート番号を変更して送信する。この結果、位置情報パケット内の物理ポート番号は周期的に変化する。また、各端末は、接続しているスイッチ装置の物理ポート番号を認識できる。
【００４０】
図９は、実施の形態３の端末が送信するＩＰアドレス要求信号の構成例を示す図である。本実施の形態の端末が送信するＩＰアドレス要求信号は、実施の形態１で説明したＩＰアドレス要求信号と同様の構成である。ただし、機器固有情報に設定する情報が異なる。すなわち、本実施の形態の端末は、機器固有情報として、位置情報配布装置から受信した位置情報パケットに設定されていた物理ポート番号を設定する。送信先アドレス、送信元アドレスおよび位置情報値には、実施の形態１と同様の情報を設定する。
【００４１】
本実施の形態のＩＰアドレス配布装置３，４は、位置情報値と物理ポート番号の組み合わせに対応したＩＰアドレス配布表を保持しており、端末からＩＰアドレス要求信号を受信すると、ＩＰアドレス要求信号に設定されている位置情報および物理ポート番号と保持しているＩＰアドレス配布表とを使用してＩＰアドレスを決定し、端末にＩＰアドレスを配布する。
【００４２】
このように、本実施の形態によれば、端末が接続しているスイッチ装置の物理ポートに応じてＩＰアドレスを配布するので、端末が故障するなどして新しい端末と交換した場合に、新しい端末に対して古い端末と同じＩＰアドレスを割り当てることができる。
【００４３】
実施の形態４．
図１０は、実施の形態４のＩＰアドレス配布システムの構成例を示す図である。本実施の形態では、列車内に構築されたＩＰアドレス配布システムについて説明する。
【００４４】
本実施の形態のＩＰアドレス配布システムは、スイッチ装置３０〜３３と、ＩＰアドレス配布装置３４と、位置情報配布装置３５および３６と、を備えて構成されている。これらの各装置は列車に搭載されており、スイッチ装置３０および３１と、ＩＰアドレス配布装置３４と、位置情報配布装置３５とが１号車に設置されている。スイッチ装置３２および３３と、位置情報配布装置３６とが２号車に設置されている。スイッチ装置３０にはスイッチ装置３１が接続されるとともにＩＰアドレス配布装置３４が接続されている。スイッチ装置３１には位置情報配布装置３５が接続されている。また、スイッチ装置３１の物理ポート４１とスイッチ装置３２の物理ポート４２が接続されている。スイッチ装置３２にはスイッチ装置３３が接続され、スイッチ装置３３には位置情報配布装置３６が接続されている。また、スイッチ装置３０には端末として空調装置（ＡＣ）３７が接続され、スイッチ装置３１には端末としてブレーキ装置（ＢＲ）３８が接続され、スイッチ装置３２には端末として空調装置３９およびブレーキ装置４０が接続されている。
【００４５】
ＩＰアドレス配布システムを構成している各装置（スイッチ装置、ＩＰアドレス配布装置、位置情報配布装置）は、実施の形態１で説明した各装置と同様の機能を有する。
【００４６】
上記構成のＩＰアドレス配布システムにおいて、互いに異なる車両に設置されているスイッチ装置同士を接続している物理ポートにおいて位置情報パケットを遮断する。具体的には、スイッチ装置３１の物理ポート４１が位置情報配布装置３５から送信された位置情報パケットを遮断し、スイッチ装置３２の物理ポート４２が位置情報配布装置３６から送信された位置情報パケットを遮断する。
【００４７】
これにより、車両ごとかつ装置種別ごとに固定的にＩＰアドレスを付与することができる。この結果、空調装置やブレーキ装置を交換した場合に、交換後の機器に対して交換前の機器に付与されていたものと同様のＩＰアドレスを割り当てることができる。
【００４８】
なお、図１０に示したＩＰアドレス配布システムを構成している各装置として、実施の形態３で説明した各装置を適用することも可能である。
【００４９】
また、各車両に位置情報配布装置を設置し、各位置情報配布装置からの位置情報パケットを同一車両内に配信する場合の例について示したが、複数車両ごとに１台の位置情報配布装置を備え、複数車両にわたって同じ位置情報パケットを配信する構成、同一車両内に複数の位置情報配布装置を備え、同一車両内に複数種類の位置情報パケットを配信する構成など、図１０に示した構成以外としても構わない。
【００５０】
各実施の形態で説明したように、本発明にかかるＩＰアドレス配布システムによれば、各端末に固定的なＩＰアドレスを付与することができるので、端末交換時に、手作業により個別にＩＰアドレスを設定することが不要となる。
【産業上の利用可能性】
【００５１】
以上のように、本発明にかかるＩＰアドレス配信システムは、ネットワークの物理的な構成を考慮してＩＰアドレスの管理と割り当てを行う必要がある場合に有用である。
【符号の説明】
【００５２】
１，２，３５，３６  位置情報配布装置
３，４，３４  ＩＰアドレス配布装置
５，６，２０〜２２，３０〜３３  スイッチ装置
７〜１０  端末
３７，３９  空調装置（ＡＣ）
３８，４０  ブレーキ装置（ＢＲ）
【図１】
2013105219.tif 000003
【図２】
2013105219.tif 000004
【図３】
2013105219.tif 000005
【図４】
2013105219.tif 000006
【図５】
2013105219.tif 000007
【図６】
2013105219.tif 000008
【図７】
2013105219.tif 000009
【図８】
2013105219.tif 000010
【図９】
2013105219.tif 000011
【図１０】
2013105219.tif 000012
【手続補正書】
【提出日】平成24年8月3日(2012.8.3)
【手続補正１】
【補正対象書類名】特許請求の範囲
【補正対象項目名】全文
【補正方法】変更
【補正の内容】
【特許請求の範囲】
【請求項１】
複数のスイッチ装置により形成されたネットワークと、
前記スイッチ装置に接続された機器からの要求に応じてＩＰアドレスを割り当てるＩＰアドレス配布装置と、
位置情報を含んだ位置情報パケットを前記ネットワーク内にブロードキャストする複数の位置情報配布装置と、
を備え、
前記スイッチ装置のうち、１台以上のスイッチ装置の特定の物理ポートにおいて前記位置情報パケットを遮断することにより、前記機器の各々に対して単一の位置情報パケットのみを配信し、
前記機器は、ＩＰアドレスの割り当てを要求する場合、前記位置情報および予め保持している機器固有情報を含んだＩＰアドレス要求信号を送信し、
前記ＩＰアドレス配布装置は、前記ＩＰアドレス要求信号を受信した場合、当該ＩＰアドレス要求信号に含まれている位置情報および機器固有情報に応じた範囲からＩＰアドレスを選択して要求元の機器に配布する、
ことを特徴とするＩＰアドレス配布システム。
【請求項２】
前記機器は、前記機器固有情報として、自身の機器種別を示す情報をＩＰアドレス要求信号に含ませることを特徴とする請求項１に記載のＩＰアドレス配布システム。
【請求項３】
前記位置情報配布装置は、前記スイッチ装置の物理ポートのうち、位置情報パケットの配布対象機器を接続する物理ポートが位置情報パケットを通過させるか否かを個別に設定した上で物理ポート番号の情報を含んだ位置情報パケットをブロードキャストすることにより、位置情報パケットの配信先の機器に当該機器が接続している物理ポートの識別番号を通知し、
前記機器は、前記機器固有情報として、自身が接続している物理ポートの識別番号をＩＰアドレス要求信号に含ませることを特徴とする請求項１に記載のＩＰアドレス配布システム。
【請求項４】
前記ネットワークを列車内に構築されたネットワークとすることを特徴とする請求項１に記載のＩＰアドレス配布システム。
【請求項５】
前記位置情報配布装置が各車両に設置されており、
前記スイッチ装置のうち、他の車両に設置されているスイッチ装置と接続されているスイッチ装置は、他の車両に設置されているスイッチ装置が接続されている物理ポートにおいて位置情報パケットを遮断することを特徴とする請求項４に記載のＩＰアドレス配布システム。
【請求項６】
複数のスイッチ装置により形成されたネットワークと、前記スイッチ装置に接続された機器からの要求に応じてＩＰアドレスを割り当てるＩＰアドレス配布装置と、位置情報を含んだ位置情報パケットを前記ネットワーク内にブロードキャストする複数の位置情報配布装置と、を備えたシステムにおけるＩＰアドレス配信方法であって、
前記スイッチ装置のうち、１台以上のスイッチ装置の特定の物理ポートにおいて前記位置情報パケットを遮断することにより、前記機器の各々に対して単一の位置情報パケットのみを配信する位置情報配信ステップと、
前記機器が、前記位置情報および予め保持している機器固有情報を含んだＩＰアドレス要求信号を送信するＩＰアドレス要求ステップと、
前記ＩＰアドレス配布装置が、前記ＩＰアドレス要求信号を受信した場合に、当該ＩＰアドレス要求信号に含まれている位置情報および機器固有情報に応じた範囲からＩＰアドレスを選択して要求元の機器に配布するＩＰアドレス配布ステップと、
を含むことを特徴とするＩＰアドレス配布方法。
【請求項７】
前記機器は、前記機器固有情報として、自身の機器種別を示す情報をＩＰアドレス要求信号に含ませることを特徴とする請求項６に記載のＩＰアドレス配布方法。
【請求項８】
前記位置情報配布装置が、前記スイッチ装置の物理ポートのうち、位置情報パケットの配布対象機器を接続する物理ポートが位置情報パケットを通過させるか否かを個別に設定した上で物理ポート番号の情報を含んだ位置情報パケットをブロードキャストすることにより、位置情報パケットの配信先の機器に当該機器が接続している物理ポートの識別番号を通知する物理ポート情報通知ステップ、
をさらに含み、
前記機器は、前記機器固有情報として、自身が接続している物理ポートの識別番号をＩＰアドレス要求信号に含ませることを特徴とする請求項６に記載のＩＰアドレス配布方法。
【国際調査報告】
2013105219.tif 000013
2013105219.tif 000014
2013105219.tif 000015